(57)【要約】【課題】  本発明は、レーザー光の輝度を変調可能なレーザー変調共焦点顕微鏡システムに関し、モニタの画面上で試料に照射すべきレーザー光の照射光量を確実に設定することを目的とする。【解決手段】  レーザー光を発生するレーザー光発生手段と、前記レーザー光の輝度変調を行う輝度変調手段と、前記輝度変調手段で輝度変調されたレーザー光により試料を走査する走査手段と、前記走査手段で走査された試料の画像を生成する演算手段と、前記演算手段で生成された試料の画像を画面上に表示する表示手段と、照射すべきレーザー光の照射領域と照射光量とを前記演算手段に外部入力するための入力手段とを備え、前記演算手段は、前記入力手段の入力に基づいて、前記照射領域と前記照射光量を、前記試料の画像に対応して前記表示手段に表示させることを特徴とする。【選択図】      図２
2005189774.tif 000002
【特許請求の範囲】
【請求項１】
レーザー光を発生するレーザー光発生手段と、
前記レーザー光の輝度変調を行う輝度変調手段と、
前記輝度変調手段で輝度変調されたレーザー光により試料を走査する走査手段と、
前記走査手段で走査された試料の画像を生成する演算手段と、
前記演算手段で生成された試料の画像を画面上に表示する表示手段と、
照射すべきレーザー光の照射領域と照射光量とを前記演算手段に外部入力するための入力手段と、
を備え、
前記演算手段は、前記入力手段の入力に基づいて、前記照射領域と前記照射光量を、前記試料の画像に対応して前記表示手段に表示させることを特徴とするレーザー変調共焦点顕微鏡システム。
【請求項２】
請求項１記載のレーザー変調共焦点顕微鏡システムにおいて、
前記演算手段は、前記試料の画像上に前記試料の画像に対応して表示される前記照射光量の表示を、前記照射光量の設定後に前記画面上から前記表示手段に消去させることを特徴とするレーザー変調共焦点顕微鏡システム。
【請求項３】
請求項１または請求項２記載のレーザー変調共焦点顕微鏡システムにおいて、
前記演算手段は、前記レーザー光発生手段から前記試料に照射されるレーザー光の種類を入力し、そのレーザー光の波長に応じた色で前記照射領域を前記表示手段に表示させることを特徴とするレーザー変調共焦点顕微鏡システム。
【請求項４】
請求項１または請求項２記載のレーザー変調共焦点顕微鏡システムにおいて、
前記演算手段は、前記試料に照射すべきレーザー光の照射光量を、照射光量に対応するレーザー光の波長色の明暗度で前記表示手段に表示させることを特徴とするレーザー変調共焦点顕微鏡システム。
【請求項５】
請求項１または請求項２記載のレーザー変調共焦点顕微鏡システムにおいて、
前記演算手段は、前記試料に照射すべきレーザー光の照射光量を、照射光量に対応する点密度で前記表示手段に表示させることを特徴とするレーザー変調共焦点顕微鏡システム。
【請求項６】
請求項１または請求項２記載のレーザー変調共焦点顕微鏡システムにおいて、
前記演算手段は、前記試料に照射すべきレーザー光の照射光量を、照射光量に対応して予め決められた設定色で前記表示手段に表示させることを特徴とするレーザー変調共焦点顕微鏡システム。
【請求項７】
請求項６記載のレーザー変調共焦点顕微鏡システムにおいて、
前記演算手段は、前記照射領域を表す枠線の色を前記設定色で前記表示手段に表示させることを特徴とするレーザー変調共焦点顕微鏡システム。
【請求項８】
請求項１または請求項２記載のレーザー変調共焦点顕微鏡システムにおいて、
前記演算手段は、前記試料に照射すべきレーザー光が複数種類あり、同じ照射領域にかかる場合に、その重なる部分を、レーザー光が有する波長色の混合色で前記表示手段に表示させることを特徴とするレーザー変調共焦点顕微鏡システム。
【請求項９】
請求項１または請求項２記載のレーザー変調共焦点顕微鏡システムにおいて、
前記演算手段は、前記照射すべきレーザー光の照射光量を数値で前記表示手段に表示させることを特徴とするレーザー変調共焦点顕微鏡システム。
【発明の詳細な説明】
【技術分野】
【０００１】
本発明は、レーザー光を用いた共焦点顕微鏡システムに係わり、特に、レーザー光の輝度を変調可能なレーザー変調共焦点顕微鏡システムに関する。
【背景技術】
【０００２】
従来、レーザー光の輝度を変調可能なレーザー変調共焦点顕微鏡システムとして、例えば、特開平９−３２９７５０号公報，特開２０００−３５４００号公報に開示されるものが知られている。
そして、これ等の公報に開示されるレーザー変調共焦点顕微鏡システムでは、音響光学変調器（ＡＯＭ）等の輝度変調手段によりレーザー光の輝度が変調される。
【特許文献１】特開平９−３２９７５０号公報
【特許文献２】特開２０００−３５４００号公報
【発明の開示】
【発明が解決しようとする課題】
【０００３】
しかしながら、従来、モニタの画面上で試料に照射すべきレーザー光の照射光量を確実に設定可能なシステムは開発されておらず、モニタの画面上で照射光量を確実に設定することができるレーザー変調共焦点顕微鏡システムが要望されていた。
本発明は、かかる従来の事情に対処してなされたもので、モニタの画面上で試料に照射すべきレーザー光の照射光量を確実に設定することができるレーザー変調共焦点顕微鏡システムを提供することを目的とする。
【課題を解決するための手段】
【０００４】
請求項１のレーザー変調共焦点顕微鏡システムは、レーザー光を発生するレーザー光発生手段と、前記レーザー光の輝度変調を行う輝度変調手段と、前記輝度変調手段で輝度変調されたレーザー光により試料を走査する走査手段と、前記走査手段で走査された試料の画像を生成する演算手段と、前記演算手段で生成された試料の画像を画面上に表示する表示手段と、照射すべきレーザー光の照射領域と照射光量とを前記演算手段に外部入力するための入力手段とを備え、前記演算手段は、前記入力手段の入力に基づいて、前記照射領域と前記照射光量を、前記試料の画像に対応して前記表示手段に表示させることを特徴とする。
【０００５】
請求項２のレーザー変調共焦点顕微鏡システムは、請求項１記載のレーザー変調共焦点顕微鏡システムにおいて、前記演算手段は、前記試料の画像上に前記試料の画像に対応して表示される前記照射光量の表示を、前記照射光量の設定後に前記画面上から前記表示手段に消去させることを特徴とする。
請求項３のレーザー変調共焦点顕微鏡システムは、請求項１または請求項２記載のレーザー変調共焦点顕微鏡システムにおいて、前記演算手段は、前記レーザー光発生手段から前記試料に照射されるレーザー光の種類を入力し、そのレーザー光の波長に応じた色で前記照射領域を前記表示手段に表示させることを特徴とする。
【０００６】
請求項４のレーザー変調共焦点顕微鏡システムは、請求項１または請求項２記載のレーザー変調共焦点顕微鏡システムにおいて、前記演算手段は、前記試料に照射すべきレーザー光の照射光量を、照射光量に対応するレーザー光の波長色の明暗度で前記表示手段に表示させることを特徴とする。
請求項５のレーザー変調共焦点顕微鏡システムは、請求項１または請求項２記載のレーザー変調共焦点顕微鏡システムにおいて、前記演算手段は、前記試料に照射すべきレーザー光の照射光量を、照射光量に対応する点密度で前記表示手段に表示させることを特徴とする。
【０００７】
請求項６のレーザー変調共焦点顕微鏡システムは、請求項１または請求項２記載のレーザー変調共焦点顕微鏡システムにおいて、前記演算手段は、前記試料に照射すべきレーザー光の照射光量を、照射光量に対応して予め決められた設定色で前記表示手段に表示させることを特徴とする。
請求項７のレーザー変調共焦点顕微鏡システムは、請求項６記載のレーザー変調共焦点顕微鏡システムにおいて、前記演算手段は、前記照射領域を表す枠線の色を前記設定色で前記表示手段に表示させることを特徴とする。
【０００８】
請求項８のレーザー変調共焦点顕微鏡システムは、請求項１または請求項２記載のレーザー変調共焦点顕微鏡システムにおいて、前記演算手段は、前記試料に照射すべきレーザー光が複数種類あり、同じ照射領域にかかる場合に、その重なる部分を、レーザー光が有する波長色の混合色で前記表示手段に表示させることを特徴とする。
請求項９のレーザー変調共焦点顕微鏡システムは、請求項１または請求項２記載のレーザー変調共焦点顕微鏡システムにおいて、前記演算手段は、前記照射すべきレーザー光の照射光量を数値で前記表示手段に表示させることを特徴とする。
【発明の効果】
【０００９】
本発明では、入力手段から入力される試料上のある一部に照射すべきレーザー光の照射領域と照射光量とを、画面上に表示される試料の画像上に、試料の画像に対応して表示するようにしたので、モニタの画面上で試料に照射すべきレーザー光の照射光量を確実に設定することができる。
【発明を実施するための最良の形態】
【００１０】
以下、本発明の実施形態を、図面を用いて詳細に説明する。
（第１の実施形態）
図１は、本発明のレーザー変調共焦点顕微鏡システムの第１の実施形態を示している。
図１において、レーザー光発生手段１１は、直線偏光のレーザ光を出射する。ビームエキスパンダ１３は、このレーザ光のビーム径を拡大する。ビーム径の拡大されたレーザ光は、偏光ビームスプリッタ１５をまっすぐ透過し、１／４波長板１７に到達する。１／４波長板１７は、このレーザ光を円偏光に変換して、走査ユニット１９へ出射する。
【００１１】
この走査ユニット１９は、２軸のミラー駆動機構などを用いて、レーザ光を二次元方向へ走査する。対物レンズ２１は、この走査光をリレーレンズ２３を介して試料２５上の観測点に集める。
試料２５に反射された走査光は、逆回りの円偏光となる。この逆回りの円偏光は、対物レンズ２１および走査ユニット１９を逆に辿って、１／４波長板１７に到達する。
【００１２】
１／４波長板１７は、この円偏光を、照明時と偏光方向が直交する直線偏光に変換して、偏光ビームスプリッタ１５へ出射する。偏光ビームスプリッタ１５は、この直線偏光を反射する。集光レンズ２７は、反射された直線偏光を遮光板２９のピンホール２９ａに集光する。光電検出素子３１は、このピンホール２９ａの通過光を受光する。
Ａ／Ｄ変換器３３は、光電検出素子３１(例えばフォトマルチプライヤー(ＰＭＴ))の輝度出力をデジタル信号に変換する。
【００１３】
マイクロコンピュータからなる演算手段３５は、Ａ／Ｄ変換器３３からのデジタル信号を、走査ユニット９の走査動作に同期したサンプリングクロックで取り込み、試料２５の画像を生成する。この画像は、液晶等のディスプレイからなる表示手段３７に表示される。演算手段３５には、種々の情報を外部入力するための入力手段３９が接続されている。
この実施形態では、レーザー光発生手段１１は、第１のレーザー光発生器４１，第２のレーザー光発生器４３および第３のレーザー光発生器４５を備えている。
【００１４】
第１のレーザー光発生器４１は、レーザー光源４１Ａおよび輝度変調手段４１Ｂを有している。レーザー光源４１Ａは、波長６３３ｎｍの赤色の可視光を発生する。輝度変調手段４１Ｂは、音響光学変調器（ＡＯＭやＡＯＴＦ）からなりレーザー光源４１Ａからのレーザー光の輝度及び／又はスペクトルを変調する。輝度変調手段４１Ｂで輝度を変調されたレーザー光は、シャッター４１Ｃおよびダイクロイックミラー４１Ｄを介してビームエキスパンダ１３に入射される。
【００１５】
第２のレーザー光発生器４３は、レーザー光源４３Ａおよび輝度変調手段４３Ｂを有している。レーザー光源４３Ａは、波長５４３ｎｍの緑色の可視光を発生する。輝度変調手段４３Ｂは、音響光学変調器（ＡＯＭ又はＡＯＴＦ）からなりレーザー光源４３Ａからのレーザー光の輝度及び／又はスペクトルを変調する。輝度変調手段４３Ｂで輝度を変調されたレーザー光は、シャッター４３Ｃおよびダイクロイックミラー４３Ｄ，４１Ｄを介してビームエキスパンダ１３に入射される。
【００１６】
第３のレーザー光発生器４５は、レーザー光源４５Ａを有している。レーザー光源４５Ａは、波長４０５ｎｍの青色の可視光を発生する。レーザー光源４５Ａで発生したレーザー光は、シャッター４５Ｃおよびダイクロイックミラー４５Ｄ，４３Ｄ，４１Ｄを介してビームエキスパンダ１３に入射される。
図２は、演算手段３５，表示手段３７および入力手段３９の詳細を示している。
【００１７】
演算手段３５は、マイクロコンピュータからなり種々の演算を行う。表示手段３７は、液晶等のディスプレイからなり種々の情報を画面に表示する。入力手段３９は、キーボードからなり、種々の情報を外部入力可能とされている。
表示手段３７の画面４７上の左側には、演算手段３５で生成された試料２５の画像（以下、基準画像という）４９を表示する基準画像表示部５１が表示可能とされている。この基準画像表示部５１に表示される基準画像４９上には、後述するように、入力手段３９から入力される試料２５上のある一部に照射すべきレーザー光の照射領域と照射光量とが、演算手段３５を介して基準画像４９に対応して表示可能とされている。
【００１８】
また、画面４７上の右側には、第１のレーザー光発生器４１または第２のレーザー光発生器４３の輝度変調手段４１Ｂ，４３Ｂを制御して試料２５に照射される照射光量を調整する光量調整部５３が表示されている。
光量調整部５３は、符号Ａで示される第１のスライダバー５５と符号Ｂで示される第２のスライダバー５７を有している。
【００１９】
第１のスライダバー５５は、第１のレーザー光発生器４１からの照射光量を調整するもので、第１のスライダバー５５上に表示されるスライダ５５Ａを移動することにより照射光量が変更される。この実施形態では、マウス５９によりスライダ５５Ａをクリックしスライダ５５Ａを移動することにより、第１のレーザー光発生器４１からの照射光量が最大照射光量の０から１００％の範囲内で変更可能とされている。
【００２０】
また、第２のスライダバー５７は、第２のレーザー光発生器４３からの照射光量を調整するもので、第２のスライダバー５７上に表示されるスライダ５７Ａを移動することにより照射光量が変更される。この実施形態では、マウス５９によりスライダ５７Ａをクリックしスライダ５７Ａを移動することにより、第２のレーザー光発生器４３からの照射光量が最大照射光量の０から１００％の範囲内で変更可能とされている。
【００２１】
そして、第１のスライダバー５５および第２のスライダバー５７の右側には、チェックボックス５５Ｂ，５７Ｂが表示されている。チェックボックス５５Ｂ，５７Ｂをマウス５９によりクリックすることにより、クリックしたチェックボックス５５Ｂ，５７Ｂにチェックマークが表示され、チェックマークが表示されたレーザー光発生器４１，４３が選択される。例えば、符号Ｂで示される第２のスライダバー５７の右側のチェックボックス５７Ｂをクリックすることにより第２のレーザー光発生器４３が選択される。
【００２２】
図３は、上述したレーザー変調共焦点顕微鏡システムにおける照射領域および照射光量の設定動作を示すフローチャートである。
先ず、ステップＳ１において、レーザー光発生手段１１からレーザー光発生器４１，４３，４５の装着情報が検出される。すなわち、レーザー光発生手段１１に少なくとも１つのレーザー光発生器４１，４３，４５が装着されている場合には、装着情報が検出される。
【００２３】
次に、ステップＳ２において、装着情報が検出されたか否かが判断され、装着情報が検出されない場合には、レーザー光の照射ができないため作業が終了する。
一方、装着情報が検出された場合には、ステップＳ３において、装着された各レーザー光発生器４１，４３，４５のレーザー光の波長および輝度変調手段４１Ｂ，４３Ｂの有無が検出される。
【００２４】
次に、ステップＳ４において、少なくとも１つのレーザー光発生器４１，４３，４５が輝度変調手段４１Ｂ，４３Ｂを備えているか否かが判断される。そして、少なくとも１つのレーザー光発生器４１，４３，４５が輝度変調手段４１Ｂ，４３Ｂを備えている場合には、ステップＳ５において、図２に示したように基準画像４９が画像表示部５１に表示される。また、この実施形態では、第１のレーザー光発生器４１および第２のレーザー光発生器４３が輝度変調手段４１Ｂ，４３Ｂを備えているため、この時同時に、図２に示した光量調整部５３に第１のスライダバー５５および第２のスライダバー５７が表示される。
【００２５】
次に、ステップＳ６において、図４に示すように、基準画像４９の画像上で照射領域６１の設定が行われる。この設定は、マウス５９によりカーソルを基準画像４９上に移動し設定位置でマウス５９をクリックすることにより行われる。照射領域６１は、枠線６３により表示され、枠線６３内が照射領域６１となる。
次に、ステップＳ７において、使用するレーザー光発生器４１，４３が選択される。この選択は、図２に示した第１のスライダバー５５および第２のスライダバー５７の右側に表示されるチェックボックス５５Ｂ，５７Ｂをマウス５９によりクリックすることにより行われる。符号Ａで示される第１のスライダバー５５の右側のチェックボックス５５Ｂをクリックすることにより第１のレーザー光発生器４１が選択される。また、符号Ｂで示される第２のスライダバー５７の右側のチェックボックス５７Ｂをクリックすることにより第２のレーザー光発生器４３が選択される。
【００２６】
次に、ステップＳ８において、照射領域６１に照射される照射光量の設定が行われる。この設定は、ステップＳ７において第１のレーザー光発生器４１を選択した場合には、第１のスライダバー５５上に表示されるスライダ５５Ａをマウス５９によりクリックして移動することにより行われる。また、ステップＳ７において第２のレーザー光発生器４３を選択した場合には、第２のスライダバー５７上に表示されるスライダ５７Ａをマウス５９によりクリックして移動することにより行われる。
【００２７】
次に、ステップＳ９において、照射領域６１に照射される照射光量の表示が行われる。この表示は、図５に示すように、レーザー光の波長に応じた色、および、照射光量に対応する明暗度で照射領域６１を覆うことにより行われる。すなわち、照射光量に対応して予め色の明暗度が設定されている。この実施形態では、照射光量が小さい時には図５に示したように暗く、照射光量が増大するに従って、図６に示すように、明るさが増大するように設定されている。
【００２８】
例えば、ステップＳ７において第１のレーザー光発生器４１が選択されている場合には、第１のレーザー光発生器４１のレーザー光の波長色である赤色で照射領域６１が表示され、また、設定された照射光量が小さい場合には暗い赤色で表示され、照射光量が増大するに従って明るい赤色で表示される。
一方、ステップＳ７において第２のレーザー光発生器４３が選択されている場合には、第２のレーザー光発生器４３のレーザー光の波長色である緑色で照射領域６１が表示され、また、設定された照射光量が小さい場合には暗い緑色で表示され、照射光量が増大するに従って明るい緑色で表示される。
【００２９】
次に、ステップＳ１０において、照射光量の調整が完了したか否かが判断される。完了の判断は、図２に示した表示手段３７の画面４７上に表示される完了ボタン６５をマウス５９によりクリックすること、あるいは、入力手段３９の所定のキーを操作することに行われる。
ステップＳ１０において照射光量の調整が完了した場合には、ステップＳ１１において、照射領域６１を覆う照射光量の表示が画面４７上から消去され設定が終了する。この状態では、基準画像４９の画像上には、照射領域６１を示す枠線６３のみが表示され枠線６３内の基準画像４９が目視可能となる。
【００３０】
上述したレーザー変調共焦点顕微鏡システムでは、入力手段３９から入力される試料２５上のある一部に照射すべきレーザー光の照射領域６１と照射光量とを、画面４７上に表示される基準画像４９上に、基準画像４９に対応して表示するようにしたので、モニタである表示手段３７の画面４７上で試料２５に照射すべきレーザー光の照射光量を確実に設定することができる。
【００３１】
すなわち、レーザー光の照射領域６１と照射光量とが、画面４７上に表示される基準画像４９上に、基準画像４９に対応して表示されるため、目視により直感的に照射領域６１および照射光量を把握することが可能になり、誤った照射領域６１と照射光量を設定することを有効に防止することができる。
また、上述したレーザー変調共焦点顕微鏡システムでは、基準画像４９上に基準画像４９に対応して表示される照射光量の表示を、照射光量の設定後に画面４７上から消去するようにしたので、照射光量の表示により基準画像４９の認識が妨げられることを有効に防止することができる。
【００３２】
さらに、上述したレーザー変調共焦点顕微鏡システムでは、レーザー光発生手段１１から試料２５に照射されるレーザー光の種類を入力し、そのレーザー光の波長に応じた色で照射領域６１を覆って表示するようにしたので、使用されるレーザー光との関係を容易，確実に認識することができる。
また、上述したレーザー変調共焦点顕微鏡システムでは、試料２５に照射すべきレーザー光の照射光量を、照射光量に対応するレーザー光の波長色の明暗度で表示するようにしたので、使用されるレーザー光との関係および照射光量を容易，確実に認識することができる。
（第２の実施形態）
図７は、本発明のレーザー変調共焦点顕微鏡システムの第２の実施形態の要部を示している。
【００３３】
なお、この実施形態において照射光量の表示に関する構成以外は、第１の実施形態と同様に構成されているため、第１の実施形態と同一の要素には、同一の符号を付して詳細な説明を省略する。
この実施形態では、図３に示したステップＳ９における照射領域６１に照射される照射光量の表示が、レーザー光の波長に応じた色、および、照射光量に対応する点の密度で表示される。すなわち、照射光量に対応して予め点の密度が設定されている。この実施形態では、照射光量が小さい時には、図７に示すように点Ｐの密度が小さく、照射光量が増大するに従って、図８示すように点Ｐの密度が増大するように設定されている。
【００３４】
例えば、図３に示したステップＳ７において第１のレーザー光発生器４１が選択されている場合には、第１のレーザー光発生器４１のレーザー光の波長色である赤色で照射領域６１の点Ｐが表示される。そして、設定された照射光量が小さい場合には、枠線６３の中に赤色で表示される点Ｐの密度が小さく表示され、照射光量が増大するに従って枠線６３の中に赤色で表示される点Ｐの密度が大きく表示される。
【００３５】
一方、ステップＳ７において第２のレーザー光発生器４３が選択されている場合には、第２のレーザー光発生器４３のレーザー光の波長色である緑色で照射領域６１の点Ｐが表示される。そして、設定された照射光量が小さい場合には、枠線６３の中に緑色で表示される点Ｐの密度が小さく表示され、照射光量が増大するに従って枠線６３の中に緑色で表示される点Ｐの密度が大きく表示される。
【００３６】
この実施形態のレーザー変調共焦点顕微鏡システムにおいても第１の実施形態と略同様の効果を得ることができるが、この実施形態では、試料２５に照射すべきレーザー光の照射光量を、照射光量に対応する点密度で表示するようにしたので、照射光量を容易，確実に認識することができる。
（第３の実施形態）
図９は、本発明のレーザー変調共焦点顕微鏡システムの第３の実施形態の要部を示している。
【００３７】
なお、この実施形態において照射光量の表示に関する構成以外は、第１の実施形態と同様に構成されているため、第１の実施形態と同一の要素には、同一の符号を付して詳細な説明を省略する。
この実施形態では、図３に示したステップＳ９における照射領域６１に照射される照射光量の表示が、照射光量に対応して予め決められた設定色で表示される。すなわち、照射光量に対応して予め表示色が設定されている。そして、この実施形態では、照射光量が小さい時には照射領域６１の枠線６３の色が赤色に、中程の時には緑色に、大きい時には青色になるように設定されている。
【００３８】
この実施形態のレーザー変調共焦点顕微鏡システムにおいても第１の実施形態と略同様の効果を得ることができるが、この実施形態では、試料２５に照射すべきレーザー光の照射光量を、照射光量に対応して予め決められた設定色で表示するようにしたので、照射光量を容易，確実に認識することができる。
（第４の実施形態）
図１０は、本発明のレーザー変調共焦点顕微鏡システムの第４の実施形態の要部を示している。
【００３９】
なお、この実施形態において照射光量の表示に関する構成以外は、第１の実施形態と同様に構成されているため、第１の実施形態と同一の要素には、同一の符号を付して詳細な説明を省略する。
この実施形態では、照射領域の表示が、試料２５に照射すべきレーザー光が複数種類あり、同じ照射領域にかかる場合に、その重なる部分が、レーザー光が有する波長色の混合色で表示される。
【００４０】
すなわち、この実施形態では、第１のレーザー光発生器４１および第２のレーザー光発生器４３を同時に選択可能とされている。第１のレーザー光発生器４１および第２のレーザー光発生器４３を同時に選択すると、第１のレーザー光発生器４１の照射領域６１Ａが赤色で表示され、第２のレーザー光発生器４３の照射領域６１Ｂが緑色で表示される。そして、第１のレーザー光発生器４１の照射領域６１Ａと第２のレーザー光発生器４３の照射領域６１Ｂとが重なった部分６１Ｃが、赤色と緑色との混合色である赤緑色で表示される。
【００４１】
また、この実施形態では、照射すべきレーザー光の照射光量を照射領域６１Ａ，６１Ｂに対応して数値で表示することにより行われる。
すなわち、この実施形態では、第１のレーザー光発生器４１の照射領域６１Ａから引出線６５Ａが引き出され、この引出線６５Ａの先端近傍に、照射すべきレーザー光の照射光量が、例えば、４０％と数値で表示される。また、第２のレーザー光発生器４３の照射領域６１Ｂから引出線６５Ｂが引き出され、この引出線６５Ｂの先端近傍に、照射すべきレーザー光の照射光量が、例えば、３０％と数値で表示される。
【００４２】
この実施形態のレーザー変調共焦点顕微鏡システムにおいても第１の実施形態と略同様の効果を得ることができるが、この実施形態では、試料２５に照射すべきレーザー光が複数種類あり、同じ照射領域６１にかかる場合に、その重なる部分を、レーザー光が有する波長色の混合色で表示するようにしたので、重なる部分を容易，確実に認識することができる。
【００４３】
また、この実施形態のレーザー変調共焦点顕微鏡システムでは、照射すべきレーザー光の照射光量を数値で表示するようにしたので、照射光量をより正確に認識することができる。
なお、上述した実施形態では、輝度変調手段に音響光学変調器（ＡＯＭ）を用いた例について説明したが、本発明はかかる実施形態に限定されるものではなく、例えば、電気光学変調器（ＥＯＤ），磁気光学変調器（ＭＯＤ）等の輝度変調手段を用いても良い。
【図面の簡単な説明】
【００４４】
【図１】本発明のレーザー変調共焦点顕微鏡システムの第１の実施形態を示す説明図である。
【図２】図１の表示手段３７の詳細を示す説明図である。
【図３】図１のレーザー変調共焦点顕微鏡システムの動作を示す説明図である。
【図４】本発明の第１の実施形態において基準画像４９上に照射領域６１を設定した状態を示す説明図である。
【図５】図４の照射領域６１に照射光量を表示した状態を示す説明図である。
【図６】図５において照射光量を増大した状態を示す説明図である。
【図７】本発明の第２の実施形態において照射領域６１に照射光量を表示した状態を示す説明図である。
【図８】図７において照射光量を増大した状態を示す説明図である。
【図９】本発明の第３の実施形態において照射領域６１に照射光量を表示した状態を示す説明図である。
【図１０】本発明の第４の実施形態において照射領域６１が重なった状態を示す説明図である。
【符号の説明】
【００４５】
１１  レーザー光発生手段
３５  演算手段
３７  表示手段
３９  入力手段
４１  第１のレーザー光発生器
４３  第２のレーザー光発生器
４５  第３のレーザー光発生器
４１Ｂ，４３Ｂ  輝度変調手段
４７  画面
６１，６１Ａ，６１Ｂ  照射領域
【図１】
2005189774.tif 000003
【図２】
2005189774.tif 000004
【図３】
2005189774.tif 000005
【図４】
2005189774.tif 000006
【図５】
2005189774.tif 000007
【図６】
2005189774.tif 000008
【図７】
2005189774.tif 000009
【図８】
2005189774.tif 000010
【図９】
2005189774.tif 000011
【図１０】
2005189774.tif 000012